(57)【要約】【課題】光学部材の回動により走査線の傾き調整を行う際に光路長変動によるピント変動、片倍率変動、ピッチムラの悪化を防ぐとともに光学部材を精度よく位置決めすることのできる光走査装置を提供する。【解決手段】  光走査装置１３は、光源から出射された光を偏向走査する偏向部材６１と、偏向部材６１を収納する光学箱７１と、光学箱７１の内部に設けられ、偏向部材６１により走査された光を透過させる光学部材６３と、光学部材６３の光軸を回転中心として光学部材６３を回動可能に支持する支持部材７５と、支持部材７５の動きと独立して光学部材６３と支持部材７５の間に支持され、偏向部材６１に走査される光を反射する反射部材８１、８２、８３と、を有する。【選択図】図６
2010169978.tif 000002
【特許請求の範囲】
【請求項１】
光源から出射された光を偏向走査する偏向部材と、前記偏向部材を収納する光学箱と、前記光学箱の内部に設けられ、前記偏向部材により走査された光を透過させる光学部材と、前記光学部材の光軸を回転中心として前記光学部材を回動可能に支持する支持部材と、前記支持部材の動きと独立して前記光学部材と前記支持部材の間に支持され、前記偏向部材に走査される光を反射する反射部材と、を有することを特徴とする光走査装置。
【請求項２】
前記支持部材は、前記光学部材を支持する第１の面と、前記第１の面に略垂直な第２の面を有し、前記第２の面に前記光軸を中心に前記光学部材を回動させるための軸が一体的に形成されていることを特徴とする請求項１記載の光走査装置。
【発明の詳細な説明】
【技術分野】
【０００１】
本発明は、偏向部材を用いて光ビームを被走査体に走査する光走査装置に関するものである。
【背景技術】
【０００２】
レーザービームプリンタやデジタル複写機等の画像形成装置に用いられている光走査装置においては画像信号に応じて光源手段から光変調され出射した光束を、例えば回転多面鏡のような偏向部材によって周期的に偏向させる。偏向された光束は、ｆθ特性を有する結像光学素子によって例えば感光ドラムや感光ベルトのような感光体とされる被走査体上にスポット状に収束させ、露光を行い、潜像形成を行っている。
【０００３】
複数の被走査体に形成された潜像をもとにトナー画像を重ね合わせてフルカラー画像形成を行う画像形成装置においては、複数の光走査装置によって走査される走査光の幾何特性、例えば走査線傾きや走査線曲がりの差によって色ずれという画像不良が発生する。
【０００４】
一つの被走査体に潜像形成、現像を繰り返し、トナー画像を重ね合わせてフルカラー画像形成を行う画像形成装置、或いは、一度の潜像形成、現像によって単色画像形成を行うモノカラー画像形成装置においては、一つの光走査装置で潜像形成を行う。そのため、色ずれとはならないが画像の直角性が損なわれ、歪を生じた画像となってしまう。
【０００５】
そのため走査光の幾何特性を補正するために調整手段を有する光走査装置及び画像形成装置が提案されている（例えば、特許文献１参照）。
【０００６】
図１９及び図２０に、この種の光走査装置の要部概略図と走査光の幾何特性の調整手段を示す。
【０００７】
図１９において、被走査体である感光ドラム１１０の面上を走査する光束が光源ユニット１１５を出射して副走査方向に所定の屈折力を有するシリンドリカルレンズ１１６を通過し、回転多面鏡１１１の偏向面に線状に集光される。光束は、回転多面鏡１１１により偏向反射されて、光学部材であるトーリックレンズ１１２及び回折光学素子１１３を経て感光ドラム面上に照射する。Ｌは光軸であり、走査中心軸及びトーリックレンズ１１２の光軸に相当している。
【０００８】
この光走査装置においては、回折光学素子１１３の光軸をほぼ中心にして矢印Ｇ方向に回動することにより、感光ドラム１１０の面上に走査される光束は、点線Ｈで示すように傾いて走査される。
【０００９】
この回折光学素子１１３の回動量と走査線の傾き量とはほぼ比例した関係にあるため傾きずれを補正する必要分だけ回折光学素子１１３を回動させることにより、走査線の傾きを調整することができる。
【００１０】
同様に、走査線曲がり調整については、図２０に示す反射ミラー１１４を光軸Ｌを中心に矢印Ｒ方向に回動し、回折光学素子１１３に入射する光軸Ｌの角度を変えることにより、感光ドラム面上に走査される光束は、点線Ｊで示すように曲がって走査される。
【００１１】
図２０（Ａ）では、光路は一直線となっているが、本来は図２０（Ｃ）のように、ミラー１１４にて９０度反射する構成となっている。
【００１２】
また、上記傾き調整を実現させる手段として以下のようなものが提案されている。
【００１３】
つまり、図２１に示すように、細板状で中央部が長手方向にスリット状に打ち抜かれたレンズホルダー１２１を備えている。シリンドリカルレンズ１２０は、レンズホルダー１２１に載置され、板ばね１２２Ａ、１２２Ｂで固定される。レンズホルダー１２１は、係合孔１２３Ａと長孔１２３Ｂを有し、光走査装置の不動部１２４Ａ、１２４Ｂに固定される。シリンドリカルレンズ１２０は、レンズホルダー１２１と一体的に係合孔１２３Ａを中心に回動することで走査線の傾きを調整することができる（例えば、特許文献２参照）。
【００１４】
また、シリンドリカルレンズと反射ミラーを一体的に回動可能にしたものがある。
【００１５】
つまり、図２２に示すように、ミラー１３５とシリンドリカルレンズ１３６は、ケース１３４内に固定されている。ケース１３４は、ハウジング１３０の床面１３１上に設置され、ハウジング１３０の突片１３２に設けたピン１３３がケース上面に形成した孔１３７に嵌入している（例えば、特許文献３参照）。
【特許文献１】特開２００２−１４８５４１号公報
【特許文献２】実公平３−２６５２６号公報
【特許文献３】特開平４−３６２６１０号公報
【発明の開示】
【発明が解決しようとする課題】
【００１６】
しかしながら、上述の技術においては以下のような問題点がある。
【００１７】
図２１に示す回動方法においては、回転中心がシリンドリカルレンズ１２０の中心より主走査方向に大きく離れているため、傾き調整時に回転中心と反対側のレンズの有効域を大きくする必要があり、レンズの高さが高くなる。また、入射される光ビームが副走査方向レンズ中心より大きく逸脱するため、球面収差が無視できなくなる。
【００１８】
例えば、像面湾曲を小さくするためにトーリックレンズを配設し、傾き調整用レンズとして用いていることがある。このような場合、レンズ中心から離れた位置を回転中心にすることで傾き調整時に走査線曲がりが変化することになる。そのため、複数の画像ステーションを有するフルカラー画像形成装置においてはオートレジで傾きを補正する弊害として曲がりによる色ずれが大きくなることがある。
【００１９】
図２２に示す回動方法においては、上記を鑑みて、傾き調整を行う際にミラー１３５を一体的に回動することで常に光ビームが副走査方向レンズ中心に入射されるようになっている。
【００２０】
しかしながら、ミラー１３５を一体的に回転させた場合、走査域両端において光路長の片側が短く、もう片側が長くなるため、合焦位置のピント方向への傾きが発生する。
【００２１】
更に、シリンドリカルレンズ１３６を用いた場合、他のレンズで像面湾曲を補正することが難しいことから走査域全域での像面深度が浅くなってしまう。光路長が走査域内で変化することによって片倍率のずれも生じる。複数の画像ステーションを有するフルカラー画像形成装置においてはオートレジで倍率を補正した後、中央部近傍の色ずれが悪化することがある。
【００２２】
更に、シリンドリカルレンズがポリゴンミラーと像面の間に共役の関係を形成している場合、光路長が変化することで共役の関係が崩れ、ピッチムラが悪化することもある。
【００２３】
そこで、本発明の目的は、光学部材の回動により走査線の傾き調整を行う際に光路長変動によるピント変動、片倍率変動、ピッチムラの悪化を防ぐとともに光学部材を精度よく位置決めすることのできる光走査装置を提供することである。
【００２４】
本発明の他の目的は、光学部材の回動調整時に、光学部材の中心近傍を回転中心として走査方向のいずれか一端を回動調整部材に当接するようにしたときの他端側の梁振動を抑えるようにすると共に、Ｌ字状とされる光学部材支持部材の先端部の振動を抑えることのできる光走査装置を提供することである。
【００２５】
本発明の他の目的は、回動調整時の摩擦を少なくし、調整手段の負荷を軽減することのできる光走査装置を提供することである。
【課題を解決するための手段】
【００２６】
上記目的は本発明に係る光走査装置にて達成される。要約すれば、本発明によると、光源から出射された光を偏向走査する偏向部材と、前記偏向部材を収納する光学箱と、前記光学箱の内部に設けられ、前記偏向部材により走査された光を透過させる光学部材と、前記光学部材の光軸を回転中心として前記光学部材を回動可能に支持する支持部材と、前記支持部材の動きと独立して前記光学部材と前記支持部材の間に支持され、前記偏向部材に走査される光を反射する反射部材と、を有することを特徴とする光走査装置が提供される。
【発明の効果】
【００２７】
本発明の光走査装置によれば、
（１）光学部材の回動により走査線の傾き調整を行う際に光路長変動によるピント変動、片倍率変動、ピッチムラの悪化を防ぐとともに光学部材を精度よく位置決めすることができる。
（２）光学部材の回動調整時に、光学部材の中心近傍を回転中心として走査方向のいずれか一端を回動調整部材に当接するようにしたときの他端側の梁振動を抑えるようにすると共に、Ｌ字状とされる光学部材支持部材の先端部の振動を抑えることができる。
（３）支持部材に設けた２つの丸軸状ガイド部のみで位置決めを行うようにすることによって、回動調整時の摩擦はガイド部のみで発生するため調整手段の負荷を軽減することができる。
【発明を実施するための最良の形態】
【００２８】
以下、本発明に係る光走査装置を図面に則して更に詳しく説明する。
【００２９】
実施例１
図１に、本発明に係る光走査装置を適用し得る画像形成装置の一例であるデジタルフルカラー複写機（カラー画像形成装置）の概略構成を示す。
【００３０】
（画像形成装置の全体構成）
画像形成装置１００は、原稿読み取り部１Ｒ及びプリンタ部１Ｐを備えている。原稿読み取り部１Ｒは、原稿上の画像情報を読み取っており、プリンタ部１Ｐは、原稿読み取り部１Ｒからの画像情報応じて普通紙などとされるシート材Ｐにカラー画像を形成する。
【００３１】
画像読み取り部１Ｒで読み取られた信号は、イエロー、マゼンタ、シアン、ブラックのビデオ信号に変換され、各画像ステーションに対応する光走査装置１３（１３ａ、１３ｂ、１３ｃ、１３ｄ）から出力されるレーザ光の光変調を行っている。
【００３２】
プリンタ部１Ｐを構成するフルカラー画像形成部１０には色光別に画像情報を形成する４つの画像形成ステーション１０ａ、１０ｂ、１０ｃ、１０ｄが配置される。
【００３３】
画像形成ステーション１０ａ、１０ｂ、１０ｃ、１０ｄは、それぞれ、像担持体としてのドラム状の電子写真感光体（以下、「感光ドラム」という。）１１（１１ａ、１１ｂ、１１ｃ、１１ｄ）を備えている。各感光ドラム１１の周りには、帯電手段１２（１２ａ、１２ｂ、１２ｃ、１２ｄ）、現像手段１４（１４ａ、１４ｂ、１４ｃ、１４ｄ）、及び、クリーニング手段１５（１５ａ、１５ｂ、１５ｃ、１５ｄ）が配置されている。
【００３４】
当業者には周知の画像形成プロセスによって各感光ドラム１１上にトナー像が形成される。そして、各感光ドラム１１上のトナー像は、転写手段３５（３５ａ、３５ｂ、３５ｃ、３５ｄ）により中間転写ベルト３０上に重ね合わされ、４色のカラートナー像が形成される。
【００３５】
中間転写ベルト３０上のトナー像は、既知の転写材搬送プロセスによって給紙カセット２１ａ或いは２１ｂから、搬送ローラを備えて搬送手段２０にて搬送されるシート材Ｐ上に二次転写ローラ（二次転写手段）３６により二次転写される。カラートナー像が転写されたシート材Ｐは、最後に定着ローラ対４１ａ、４１ｂを備えた定着装置４０にて加熱定着することでフルカラー画像を得る。
【００３６】
（光走査装置の全体装置）
次に、図２を参照して、本実施例における光走査装置１３の詳細について説明する。本実施例にて、図１に示す光走査装置１３ａ、１３ｂ、１３ｃ、１３ｄは、すべて同構成とされる。
【００３７】
図２は、光走査装置１３の概略平面図であり、ＯＦＳ（Ｏｖｅｒ    Ｆｉｌｌｅｄ    Ｓｃａｎ）タイプの光学系の展開図を示している。
【００３８】
また、図２において、光走査装置１３は、光源装置６６ａ、コリメータレンズ６６ｂ、球面レンズ６６ｃ、絞り６６ｄ、シリンドリカルレンズ６６ｅ、反射ミラー６７を備えている。更に、光走査装置１３は、結像手段である結像光学素子として、ｆθレンズ６２及び主に副走査方向にパワーを有するアナモフィック非球面レンズ（以下、「非球面レンズ」という。）６３を備えている。光学部材である非球面レンズ６３としては、光ビームの入射面及び出射面において副走査方向に異なる曲率を有するとともに主走査方向に無限大ではない略同一の曲率を有するトーリックレンズ又はトロイダルレンズなどとされる。
【００３９】
これらの光学素子は、偏向部材であるポリゴンミラー６１を回転駆動する不図示の駆動装置、及び、防塵ガラス６５とともに光学箱の内部に、即ち、ハウジング部材７１内に収納され支持されている。図２においては、ポリゴンミラー６１で偏向された光ビームを感光ドラム１１に向かわせるための光線折り返しのための反射部材である反射ミラー８１、８２、８３（図６参照）は省略している。
【００４０】
上記構成の光走査装置１３にて、光源装置６６ａから放射された光ビームは、コリメータレンズ６６ｂによって近平行光にされ、球面レンズ６６ｃによって弱発散光にされる。絞り６６ｄによって光束が規制された後、シリンドリカルレンズ６６ｅによって副走査方向のみ集光し、反射ミラー６７によって反射された光ビームは、ｆθレンズ６２を通ってポリゴンミラー６１の反射面近傍に線状に集光される。ポリゴンミラー６１は、図中矢印方向に一定速度で回転し、光ビームを偏向する。
【００４１】
更に、偏向された光ビームは、ｆθ特性をもったｆθレンズ６２に再び入射し、光束を主走査方向について集光させる。また、非球面レンズ６３によって副走査方向にも集光され感光ドラム１１上にスポットを形成する。感光ドラム１１は不図示の回転機構により一定速度で回転している。
【００４２】
尚、図２に示すように、光走査装置１３に配置された同期検出手段７０が感光ドラム１１上の１ライン毎のレーザ光書き込みタイミング（同期信号）を取っている。そのため、光走査装置１３は、同期検出手段７０に光束を反射させるための反射ミラー６８を備えている。反射ミラー６８は、支持部材６９により、ハウジング部材７１に取り付けられている。
【００４３】
画像位置の調整における修正手段は、図３（Ａ）〜（Ｅ）の各パラメータのずれに関してブラックの画像位置を基準にシアン、マゼンタ、イエローの画像に対して行う。ここでＡは画像搬送方向であり、Ａに垂直な方向が主走査方向である。
【００４４】
先ず、上下マージンずれ（Ａ）及び左右マージンずれ（Ｂ）は、レーザ書き込みタイミングを必要量だけ変化させて行い、倍率ずれ（Ｄ）は、レーザダイオード１９の変調する変調周波数を所定量だけ変化して行う。
【００４５】
走査線傾き（Ｃ）と走査線曲がり（Ｅ）に関しては、後述するように光学的な手法で行っている。
【００４６】
（走査線の傾き調整）
傾き調整（補正）について図４を用いて説明する。
【００４７】
非球面レンズ６３の光軸Ｌに平行な軸を中心にして矢印Ｇ方向に回動（回転移動）することにより、感光ドラム１１上に走査される光束は、同図の点線Ｈで示すように傾いて走査される。
【００４８】
非球面レンズ６３の回動量と走査線の傾き量とはほぼ比例した関係にあるため、傾きずれを補正する必要分だけ非球面レンズ６３を矢印Ｇ方向或いは逆方向に回動させることにより走査線の傾きを調整することができる。
【００４９】
以上の修正手段は、主にステーション間の画像位置ずれ補正（所謂、オートレジ）に使用されており、中間転写ベルト３０上に形成された不図示のレジマークをレジマーク検出手段６０で読み取り、演算結果をもとに補正を行う。
【００５０】
曲がり調整においては画像形成装置内の昇温等によって変化しないので光走査装置を組み立てる際にのみ調整を行う。
【００５１】
（走査線の曲り調整）
曲がり調整（補正）について図５を用いて説明する。
【００５２】
非球面レンズ６３の走査線に平行な軸を中心にして矢印Ｒ方向に回動（回転移動）することにより、感光ドラム１１上に走査される光束は、同図点線Ｊで示すように曲がって走査される。
【００５３】
非球面レンズ６３の回動量と走査線の曲がり量とはほぼ比例した関係にあるため、曲がり補正する必要分だけ非球面レンズ６３を矢印Ｒ方向或いは逆方向に回動させることにより走査線の曲がりを調整することができる。
【００５４】
（光走査装置の全体構成）
図６は本実施例における光走査装置１３の概略正面図であり、図７は非球面レンズ６３の支持部及び調整手段を表す概略側面図であり、図８は非球面レンズ支持部材の詳細斜視図である。
【００５５】
図６〜図８に示す光走査装置１３にて、図２に示す光走査装置１３における部材と同じ作用をなす部材には同一の符号を付し、先の説明を援用し、詳しい説明は省略する。
【００５６】
また、以下の説明中でのＸ軸、Ｚ軸は、それぞれ紙面左右方向、上下方向であり、Ｙ軸は紙面表裏方向である。更に、Ｘ軸、Ｙ軸、Ｚ軸周りに回転する方向をそれぞれＸｒ方向、Ｙｒ方向、Ｚｒ方向と記す。
【００５７】
ポリゴンミラー６１を回転駆動するための駆動装置６１ａは、光学箱を構成するハウジング部材である光学ハウジング７１に位置決め支持されている。同様に、ｆθレンズ６２は、光学ハウジング７１に一体的に形成された支持部材に弾性部材による付勢、接着等により位置決め支持されている。図６には不図示の光源装置６６ａ、コリメータレンズ６６ｂ、球面レンズ６６ｃ、絞り６６ｄ、シリンドリカルレンズ６６ｅ、反射ミラー６７等もまた、光学ハウジング７１に一体的に形成された支持部材に弾性部材による付勢、接着等により位置決め支持されている。
【００５８】
ミラー８１及び８２は、ポリゴンミラー６１によって偏向走査された光ビームを折り返すための反射ミラーであり、略１８０°光ビームを折り返している。ミラー８３は、非球面レンズ６３を透過した光ビームを感光ドラム１１に向かわせるための反射ミラーである。反射ミラー８１〜８３は、光学ハウジング７１の不図示の支持部に板ばね等の弾性部材によって押圧付勢されている。反射ミラー支持部の一部は、反射ミラーの角度を調整するために光学ハウジングに螺合されたスクリューの先端となっている。
【００５９】
本実施例では、ミラー８３は、非球面レンズ６３とレンズ支持部材７５の間に設けられ、ポリゴンミラー６１に走査される光を反射する反射部材であり、レンズ支持部材７５の動きとは独立して角度調整可能に支持されている。
【００６０】
光学装置内の防塵性のために備えられたカバー７３及び７４は、光学ハウジング７１にビス等で取り付けられている。
【００６１】
防塵ガラス６５は、カバー７４の光路上に設けられた開口部７４ａを塞ぐように両面テープ等で貼り付けられている。
【００６２】
非球面レンズ６３は、レンズ支持部材７５の第１の面７５ａに一体的に形成された台座部７５ｂ、７５ｃ及び第１の面７５ａに螺合されたスクリュー７６に当接するよう不図示の板ばね等で押圧付勢されている。そして、レンズ支持部材７５に対する非球面レンズ６３のＺ方向及びＸｒ方向の位置決めがなされる。同様にＸ軸、Ｙ軸及びＺｒ方向においてもレンズ支持部材７５に一体的に形成された不図示の当接部と板ばね等によって押圧支持されることで位置決めがなされる。また、光学ハウジング７１に形成された調整孔７１ｂを通してスクリュー７６を回転させることで非球面レンズ６３がＹｒ方向に回動し、走査線曲がりの調整（補正）がされる。
【００６３】
レンズ支持部材７５は、第１の面７５ａと略垂直な第２の面７５ｄを有し、非球面レンズ６３を透過する光軸Ｌと略平行な丸軸状のガイド部７５ｅを一体的に形成するか、或いは、異なる部品として接合している。
【００６４】
ガイド部７５ｅは、光学ハウジング７１に形成されたガイド孔７１ａに嵌入されることでＸｒ方向に回動可能に保持されるとともにＹ軸及びＺ軸方向に位置決めがなされる。
【００６５】
ガイド部７５ｅは、同中心にて円筒状孔７５ｅ１が形成され、栓体７５ｅ２を円筒状孔７５ｅ１に挿入することによって、板ばね７７をガイド部７５ｅに取り付ける。ガイド部７５ｅに固定された板ばね７７によって第２の面７５ｄにガイド部７５ｅと同軸上に形成された台座７５ｆが光学ハウジング７１に当接するように付勢される。更に、第２の面７５ｄ上の主走査方向（Ｙ軸方向）端部に形成された台座７５ｇ及び７５ｈにおいても別の付勢手段によって光学ハウジング７１に付勢、当接することでＸ軸方向及びＹｒ方向、Ｚｒ方向に位置決めがなされる。即ち、台座７５ｆ、７５ｇ、７５ｈは、レンズ支持部材７５の位置決め手段を構成する。
【００６６】
レンズ支持部材７５のＸｒ方向の回動量を制御するための回動調整手段を構成するパルスモータ８４は、出力軸８４ａにスクリューが形成されている。スクリュー８４ａには、雌ねじが形成されたスライド部材８４ｂが螺合されている。スライド部材８４ｂは、支持部材７５に直接当接し支持部材７５の回動を調整する回動調整部材として機能する。即ち、モータ８４の回転によってスライド部材８４ｂが支持部材７５に当接し、それによって、非球面レンズ６３が軸（ガイド部７５ｅ）を中心として回動することで傾き調整（補正）を行う。
【００６７】
ここで、ガイド部７５ｅの回動中心を非球面レンズ６３の中心と合致させることで傾き調整時に発生する曲がりを抑えることができる。
【００６８】
モータ８４のスライド部材８４ｂは、図８にて、第２の面７５ｄの近傍で、さらにＹ軸方向においてはガイド部７５ｅに対して端部台座７５ｇ、７５ｈを設けた側（例えばＰ位置）に当接するように配設する。
【００６９】
台座７５ｆは、ガイド部７５ｅと同軸上に形成する必要はなく、図９に示すように、ガイド部７５ｅを挟んで台座７５ｇ、７５ｈと反対側で、ガイド部７５ｅの近傍に設けてもよい。
【００７０】
更に、台座７５ｂ、７５ｃ、７５ｆ、７５ｇ、７５ｈの形状は、図に示すものに限らず、微小平面或いは稜線、点で非球面レンズ６３或いは光学ハウジング７１当接するようにしたものであればよい。
【００７１】
上述したように、本実施例では、光学部材であるレンズ６３のみを回動可能に保持するレンズ支持部材７５を有するとともに支持部材７５に回動調整のためのガイド部７５ｅを設ける。レンズ支持部材７５にはレンズ６３を載置するための第１の面７５ａと、第１の面７５ａに略垂直な第２の面７５ｄを設けるとともに、ガイド部７５ｅは第２の面７５ｄに丸軸状に形成する。丸軸状にすることで光学ハウジング７１に嵌入する際、がたを最小限に抑えることができる。第２の面７５ｄは、走査光を遮らないようにレンズ６３と隣接する反射ミラー８３の裏面に配設する。レンズ６３は、支持部材７５に対して位置決め、保持される。
【００７２】
支持部材７５は、光学ハウジング７１に対して回動調整方向以外の位置決めがなされる。回動調整における回転中心は、レンズ中央部近傍に配設され、回動調整部材８４ｂは、回転中心に対して走査方向いずれかの位置で支持部材７５の端面に近い位置Ｐで支持部材７５に当接する。支持部材７５に形成される位置決め手段は、台座７５ｆ、７５ｇ、７５ｈなどとされる３点の微小平面あるいは点、稜線からなる。位置決め手段７５ｆ、７５ｇ、７５ｈは、回動調整時には摺擦抵抗となることから、摩擦による支持部材７５の変形を防止するため、回転中心部近傍と調整部材近傍に配設する。調整部材８４が配置された位置に対し走査方向反対側は光学ハウジング等に接していない自由端となるがレンズ支持部材７５がＬ字状に形成されているため梁振動を発生しにくい。
【００７３】
つまり、本発明によれば、
（１）光路長変動に伴うピント変動、片倍率変動、ピッチムラの悪化を防ぐことができるとともにレンズ支持部材及び光学部材を精度よく位置決めすることができる。
（２）支持部材をＬ字状に形成することにより、回動中心をレンズ中心近傍に備え、一方の端部を回転調整のための調整手段当接位置とした場合に発生しうる他端側の梁振動を抑えることができる。
（３）位置決め手段を回動中心近傍と回動調整手段近傍にのみ備えることで摩擦による回動調整時の支持部材の変形を抑えることができる。
【００７４】
実施例２
図１０〜図１２に、光走査装置におけるレンズ支持部材の第二の実施例を示す。その他の構成は、実施例１に示したものと同一であり、同じ構成及び作用をなす部材には同じ参照板を付し、実施例１の説明を援用し、詳しい説明を省略する。
【００７５】
ガイド部７５ｅは、光学ハウジング７１に形成された孔７１ａに嵌入されることでＸｒ方向に回動可能に保持されると共に、Ｙ軸及びＺ軸方向に位置決めがなされる。ガイド部７５ｅに固定された板ばね７７によって第２の面７５ｄにガイド部７５ｅと同軸上に形成された台座７５ｆが光学ハウジング７１に当接するように付勢される。更に、第２の面７５ｄ上の主走査方向（Ｙ軸方向）端部にガイド部７５ｅに対して非球面レンズ６３の母線と平行になるような位置に台座７５ｉを形成し、別の付勢手段によって光学ハウジング７１に付勢、当接することでＸ軸方向及びＺｒ方向に位置決めがなされる。
【００７６】
また、レンズ支持部材７５の第１の面７５ａと対向する面にはＸ軸方向において非球面レンズ６３と略一致する場所にガイド部７５ｅと同心円状の円弧状突起部７５ｊを設ける。そして、光学ハウジング７１と一体的に形成した平面突部７１ｃに付勢、当接することでＺ軸方向に位置決めがなされる。更に、ガイド部７５ｅと併せてＹｒ方向の位置決めがなされる。
【００７７】
ここで、レンズ支持部材７５のＺ軸方向は、ガイド部７５ｅと円弧状突起部７５ｊで決められているため個々の部品の精度によってはＹｒ方向に傾く場合がある。
【００７８】
しかしながら、台座７５ｂ、７５ｃと円弧状突起部７５ｊ先端の関係によって非球面レンズ６３はＺ軸方向に精度よく位置決めされるとともに、非球面レンズ６３は、レンズ支持部材７５に対してＹｒ方向への調整手段を有しているため何ら問題はない。この調整手段は、実施例１で説明した構成と同じとされ、モータ８４で駆動される回動調整部材としてのスライド部材８４ｂ等にて構成される。
【００７９】
また、台座７５ｆは、ガイド部７５ｅと同軸上に形成する必要はなく、図１３に示すようにガイド部に対して非球面レンズ６３の母線と平行になるような位置に台座７５ｉと反対側近傍に設けてもよい。
【００８０】
上述のように、本実施例では、第２の面７５ｄに形成する位置決め手段、即ち、台座７５ｉをガイド部７５ｅの中心に対してレンズの母線と平行な位置に形成する。また、走査方向と平行な軸周りの回転に対する位置決め手段は、レンズ載置部の近傍に設けたガイド部７５ｅと同じ中心を有する円弧状突起７５ｊを光学ハウジング７１に当接することで行う。円弧状突起７５ｊを光学ハウジング７１に付勢、当接することでレンズの上下方向の振動を抑えることができるとともにガイド部７５ｅと同軸の形状とすることで回転調整時の変形を防ぐ。
【００８１】
つまり、本発明によれば、実施例１と同様の作用効果を奏し得ると共に、更に、レンズ支持部材のレンズ載置部近傍に円弧状突起を備え、光学ハウジング等に付勢、当接することでレンズ載置部となるＬ字状先端部の振動を抑えることができる。
【００８２】
実施例３
図１４〜図１６に、光走査装置におけるレンズ支持部材の第三の実施例を示す。その他の構成は、実施例１に示したものと同一であり、同じ構成及び作用をなす部材には同じ参照板を付し、実施例１の説明を援用し、詳しい説明を省略する。
【００８３】
レンズ支持部材７５は、第１の面７５ａと、略垂直な第２の面７５ｄ及び第３の面７５ｋを有している。そして、非球面レンズ６３を透過する光軸Ｌと略平行な丸軸状のガイド部７５ｌ及びガイド部７５ｌと同軸上に配設されたガイド部７５ｍを一体的に形成するか、或いは、異なる部品として接合している。
【００８４】
ガイド支持部７１ｄ、７１ｅは、それぞれ光学ハウジング７１と一体的に形成され、図１６に示すように、Ｖ溝を形成している。ガイド部７５ｌ、７５ｍはガイド支持部７１ｄ、７１ｅに付勢、当接されることでＹ軸、Ｚ軸及びＹｒ方向、Ｚｒ方向の位置決めがなされる。また別の付勢手段によってガイド部７５ｌは光学ハウジングの内壁面に当接され、Ｘ軸方向の位置決めがなされる。
【００８５】
傾き調整時の摺擦抵抗は、ガイド部７５ｌ、７５ｍとガイド支持部７１ｄ、７１ｅの間でのみ発生するため、傾き調整手段であるパルスモータ８４、調整部材８４ｂ等は主走査方向（Ｙ軸方向）両端部いずれの位置に配設してもよい。
【００８６】
更に、Ｘ軸方向を位置決めする手段として、図１７及び図１８に示すように、ガイド部７５ｌの周囲に形成した座面７５ｎをガイド支持部７１ｄの側壁面に付勢、当接するようにしてもよい。
【００８７】
上述のように、本実施例では、レンズ支持部材７５のガイド部７５ｌ、７５ｍを隣接する２つの反射ミラー８３、８２のそれぞれの裏面に配設する。これによって、２つのガイド部７５ｌ、７５ｍのみによってレンズの位置決めがなされるとともに、回動調整時の摺動抵抗はガイド部にのみ発生することからさらに支持部材７５の変形が発生しにくくなる。また、回転調整時の負荷を小さくでき、オートレジ等で自動的に回転調整を行う際にはアクチュエータの必要トルクを小さくできる。
【００８８】
つまり、本発明によれば、実施例１と同様の作用効果を奏し得ると共に、更に、レンズ支持部材のガイド部を隣接する２つの反射ミラーのそれぞれの裏面に配設し、また、支持部材に設けた２つの丸軸状ガイド部のみで位置決めを行うようにすることによって、回動調整時の摩擦はガイド部のみで発生するため調整手段の負荷を軽減することができる。
【図面の簡単な説明】
【００８９】
【図１】本発明に係る光走査装置を適用し得る画像形成装置の一例であるデジタルフルカラー複写機の概略構成図である。
【図２】光走査装置の全体構成図である。
【図３】画像位置調整を説明する図である。
【図４】傾き調整を説明する図である。
【図５】曲り調整を説明する図である。
【図６】本発明に係る光走査装置の第一の実施例の概略構成図である。
【図７】本発明に係る光走査装置の第一の実施例における非球面レンズ支持部材及び調整手段を示す側面図である。
【図８】本発明に係る光走査装置の第一の実施例における非球面レンズ支持部材の斜視図である。
【図９】本発明に係る光走査装置の第一の実施例における非球面レンズ支持部材の他の例を示す斜視図である。
【図１０】本発明に係る光走査装置の第二の実施例の概略構成図である。
【図１１】本発明に係る光走査装置の第二の実施例における非球面レンズ支持部材及び調整手段を示す側面図である。
【図１２】本発明に係る光走査装置の第二の実施例における非球面レンズ支持部材の斜視図である。
【図１３】本発明に係る光走査装置の第二の実施例における非球面レンズ支持部材の他の例を示す斜視図である。
【図１４】本発明に係る光走査装置の第三の実施例の概略構成図である。
【図１５】本発明に係る光走査装置の第三の実施例における非球面レンズ支持部材の斜視図である。
【図１６】本発明に係る光走査装置の第三の実施例における非球面レンズ支持部材のガイド部を示す図である。
【図１７】本発明に係る光走査装置の第三の実施例のガイド部の他の例を示す概略構成図である。
【図１８】本発明に係る光走査装置の第三の実施例における非球面レンズ支持部材の他の例を示す斜視図である。
【図１９】図１９（Ａ）は従来の光走査装置の構成を示す斜視図であり、図１９（Ｂ）は、走査線の傾きを説明するための図である。
【図２０】図２０（Ａ）は従来の光走査装置の構成を示す斜視図であり、図２０（Ｂ）は、走査線の曲りを説明するための図である。
【図２１】従来の光走査装置におけるシリンドリカルレンズ及びホルダーの一例を示す斜視図である。
【図２２】従来の光走査装置におけるシリンドリカルレンズ及びミラーの調整手段の一例を示す断面図である。
【符号の説明】
【００９０】
１０（１０ａ、１０ｂ、１０ｃ、１０ｄ）    画像形成ステーション（画像形成部）
１１（１１ａ、１１ｂ、１１ｃ、１１ｄ）    感光ドラム（像担持体、被走査体）
１２（１２ａ、１２ｂ、１２ｃ、１２ｄ）    帯電手段
１３                                      光走査装置
１４（１４ａ、１４ｂ、１４ｃ、１４ｄ）    現像手段
１５（１５ａ、１５ｂ、１５ｃ、１５ｄ）    クリーニング手段
３０                                      中間転写ベルト
３５（３５ａ、３５ｂ、３５ｃ、３５ｄ）    一次転写手段
３６                                      二次転写ローラ（二次転写手段）
６１                                      回転多面橋、ポリゴンミラー（偏向部材）
６３                                      トーリックレンズ（光学部材）
６６ａ                                    光源装置（光源手段）
７１                                      光学ハウジング（光学箱）
７１ａ                                    ガイド孔
７１ｄ、７１ｅ                            ガイド支持部
７５                                      レンズ支持部材
７５ａ                                    第１の面
７５ｄ                                    第２の面
７５ｋ                                    第３の面
７５ｅ、７５ｌ、７５ｍ                    軸（ガイド部）
８１、８２、８３                          反射ミラー（反射部材）
８４                                      パルスモータ（回動調整手段）
８４ｂ                                    スライド部材（回動調整部材）
【図１】
2010169978.tif 000003
【図２】
2010169978.tif 000004
【図３】
2010169978.tif 000005
【図４】
2010169978.tif 000006
【図５】
2010169978.tif 000007
【図６】
2010169978.tif 000008
【図７】
2010169978.tif 000009
【図８】
2010169978.tif 000010
【図９】
2010169978.tif 000011
【図１０】
2010169978.tif 000012
【図１１】
2010169978.tif 000013
【図１２】
2010169978.tif 000014
【図１３】
2010169978.tif 000015
【図１４】
2010169978.tif 000016
【図１５】
2010169978.tif 000017
【図１６】
2010169978.tif 000018
【図１７】
2010169978.tif 000019
【図１８】
2010169978.tif 000020
【図１９】
2010169978.tif 000021
【図２０】
2010169978.tif 000022
【図２１】
2010169978.tif 000023
【図２２】
2010169978.tif 000024